(57)【要約】【課題】  複数の配光制御が可能であり、照明器具に容易に取り付けが可能な制御部材を提供する。【解決手段】  制御部材は、一面に照射カバー１４０が設けられた照明器具１の照射カバー１４０と対向する本体ケース上面１１２の少なくとも一部を覆う上面部３１１と、上面部３１１の側辺から前記照射部の照射方向へ形成された第一の垂直部３１２と、記第一の垂直部３１２と異なる側辺に形成された照明器具と係合いする爪部３１３を備えていることで、複数の配光制御が可能であり、照明器具に容易に取り付けが可能な制御部材を提供することができる。【選択図】  図2
2015153712.tif 000002
【特許請求の範囲】
【請求項１】
一面に照射部が設けられた照明器具の前記照射部と対向する外郭の少なくとも一部を覆う上面部と、
前記上面部の側辺の一部より前記照射部の照射方向へ形成された第一の垂直部と、
前記第一の垂直部と異なる側辺部の一部に形成され前記照明器具と係合いする爪部と、
を備えていることを特徴とする制御部材。
【請求項２】
一面に照射部が設けられた照明器具の前記照射部と対向する外郭の少なくとも一部と当接する当接部と、
前記当接部の側辺の一部より前記照射部の照射方向へ形成された第二の垂直部と、
を備えていることを特徴とする制御部材。
【請求項３】
請求項１に記載の制御部材と、
前記請求項１に記載の制御部材の内側に配設される請求項２に記載の制御部材と、
を備えていることを特徴とする制御部材。
【請求項４】
前記当接部が前記照射部と対向する外郭と前記上面部との間に挟まれ保持されることを特徴とする請求項３に記載の制御部材。
【請求項５】
前記第二の垂直部が、前記第一の垂直部より前記照射部の照射方向へ長く形成されていることを特徴とする請求項３または請求項４に記載の制御部材。
【請求項６】
前記第二の垂直部が、前記照射部より突出するよう形成されていることを特徴とする請求項２から請求項５のいずれかに記載の制御部材。
【請求項７】
請求項１または、請求項３から請求項５のいずれかに記載の制御部材と、
前記制御部材と係合いする器具本体部と、
を備えていることを特徴とする照明器具。
【請求項８】
一面に照射部が設けられた照明器具の前記照射部と対向する外郭の少なくとも一部を覆う上面部と、前記上面部の側辺の一部より前記照射部の照射方向へ形成された第一の垂直部と、前記第一の垂直部と異なる側辺の一部に形成され前記照明器具と係合いする爪部と、を備えている第一の制御部材と、
前記照明器具の前記照射部と対向する外郭と前記第一の制御部材に挟まれ保持される当接部と、前記当接部の側辺の一部より前記照射部の照射方向へ前記第一の垂直部より長く形成された第二の垂直部と、を備えている第二の制御部材と、
を備えていることを特徴とする照明器具。
【発明の詳細な説明】
【技術分野】
【０００１】
本発明は、屋外に設置される照明器具に関するものである。
【背景技術】
【０００２】
近年、街路灯など屋外に設置される屋外照明器具の光源として、省電力、長寿命などの特徴を有するＬＥＤが用いられているものがある。
これらの屋外に設置される照明器具は、設置される環境により照明器具から照射される光が周囲の環境に光害として影響してしまうことがあり、光害を防止する為に路面等の照射必要部に対してのみに照射できるように配光制御しているものがある。
【０００３】
たとえば、広範囲に照射するためにＬＥＤを備えた発光部を「Ｖ」形状になるよう外側方向へ傾斜させ配置した照明器具がある。
この照明器具は、発光部を「Ｖ」形状に配置することにより発生する器具上部方向への照射光を、発光部の上部側端部に設けた反射板と、照明器具の側面により遮光している（例えば、特許文献１）。
【０００４】
また、ヒンジによりカバーが開閉可能な照明器具において、照明器具内部に発光部の配光を制御するルーバーを備えているものがある。
このルーバーは複数の取付方法が可能であり、ルーバーの取付方法を変える事により照明器具の配光を前後方向へ切り替えすることができる（例えば、特許文献２）。
【先行技術文献】
【特許文献】
【０００５】
【特許文献１】特開２０１０−１１８２２３号公報
【特許文献２】特開２０１３−８９４９５号公報
【発明の概要】
【発明が解決しようとする課題】
【０００６】
しかしながら、特許文献１の照明器具は、あらかじめ設定された配光となるように反射板と器具側面が形成されており、設置される環境により配光範囲を変更するときには照明器具の発光部、器具枠体の形状を新たに形成しなくてはいけなく、容易に配光を変更することが難しいと考えられる。
【０００７】
また、特許文献２の照明器具は、照明器具内に設けられた配光制御用ルーバーの取付方法を変更することにより配光の切り替えを行なっているが、配光制御できる範囲は照明器具内に設置可能なルーバーの範囲に限られてしまう。
また、新たに配光制御が必要になった際には、器具本体に制御部材を取り付け用の孔を加工する事が考えられ、追加加工により器具本体の性能劣化が起こる事も考えられる。
【０００８】
また、光害に関しては設置される前より光害の発生が考えられるものは、事前に光害対策を行なうことができるが、設置された後に光害が確認されるものは、照明器具が設置されている状態で光害対策を行なう必要がある。
また、光害そのものも設置される環境により異なっており、対策の為の配光制御の範囲も異なってくると考えられる。
【０００９】
そこで本発明では、上記のような課題を解決する為になされたものであり、複数の配光制御が可能であり、照明器具に容易に取り付けが可能な制御部材、及び制御部材を備えた照明器具を提供することを目的とする。
【課題を解決するための手段】
【００１０】
本発明における制御部材は、一面に照射部が設けられた照明器具の前記照射部と対向する外郭の少なくとも一部を覆う上面部と、前記上面部の側辺の一部より前記照射部の照射方向へ形成された第一の垂直部と、前記第一の垂直部と異なる側辺の一部に形成され前記照明器具と係合いする爪部と、を備えていることを特徴とするものである。
【発明の効果】
【００１１】
本発明は、街路灯などの照明器具に取り付けられる制御部材において、複数の配光制御が可能であり、容易に取り付けが可能な制御部材を提供することができる。
【図面の簡単な説明】
【００１２】
【図１】実施の形態１における照明器具の傾斜図である。
【図２】実施の形態１における照明器具の六面図である。
【図３】実施の形態１における照明器具の分解傾斜図である。
【図４】実施の形態１における器具本体部の傾斜図である。
【図５】実施の形態１における器具本体部の分解傾斜図である。
【図６】実施の形態１における取付金具の傾斜図である。
【図７】実施の形態１における第一の制御部の傾斜図である。
【図８】実施の形態１における第一の制御部の六面図である。
【図９】実施の形態１における第二の制御部の傾斜図である
【図１０】実施の形態１における第二の制御部の六面図である。
【図１１】実施の形態１における配光制御取付部の傾斜図である。
【図１２】実施の形態１における配光制御取付部の三面図である。
【図１３】図６の取付金具と図７の第一の制御部と図９の第二の制御部を組み合わせたときの六面図である。照明器具の六面図である。
【図１４】実施の形態１における器具本体部と取付金具の取付工程図である。
【図１５】実施の形態１における器具本体部と配光制御取付部の取付工程図である。
【図１６】実施の形態１における器具本体部と第二の制御部の取付工程図である。
【図１７】実施の形態１における器具本体部と第一の制御部の取付工程図である。
【図１８】実施の形態１における照明器具の配光制御を示した断面図である。
【図１９】実施の形態１における第二の制御部の変形例を示した傾斜図である。
【発明を実施するための形態】
【００１３】
実施の形態１.
本実施の形態における照明器具の各部の構成について説明を行なう。
本実施の形態では、本発明に係わる照明器具の一例として電柱、ポールなどの被取付部に取り付けられ路面などを照射する街路灯について説明する。
以下の説明において、便宜上、照明器具が照射する方向を下側とし、照射方向と反対方向を上側として説明を行なう。
【００１４】
図１は実施の形態１における照明器具の傾斜図である。図２は、図１の照明器具の六面図であり、図２の（ａ）は正面図、図２の（ｂ）は左側面図、図２の（ｃ）は右側面図、図２の（ｄ）は底面図、図２の（ｅ）は上面図、図２の（ｆ）は背面図である。図３は図１に示す照明器具の分解傾斜図であり、図３の（ａ）は下側を視点とした分解傾斜図であり、図３の（ｂ）は上側を視点とした分解傾斜図である。図４は図３に示す器具本体部の傾斜であり、図４の（ａ）は上側を視点とした傾斜図であり、図４の（ｂ）は下側を視点とした傾斜図である。図５は図４に示す器具本体部の分解傾斜図である。図６は図４に示す取付金具の傾斜図である。図７は図４に示す第一の制御部の傾斜図であり、図７の（ａ）は上側を視点とした傾斜図であり、図７の（ｂ）は下側を視点とした傾斜図である。図８は、図７の第一の制御部の六面図であり、図８の（ａ）は正面図、図８の（ｂ）は左側面図、図８の（ｃ）は右側面図、図８の（ｄ）は底面図、図８の（ｅ）は上面図、図８の（ｆ）は背面図である。図９は図４に示す第二の制御部の傾斜図であり、図９の（ａ）は上側を視点とした傾斜図であり、図９の（ｂ）は下側を視点とした傾斜図である。図１０は、図９の第二の制御部の六面図であり、図１０の（ａ）は正面図、図１０の（ｂ）は左側面図、図１０の（ｃ）は右側面図、図１０の（ｄ）は底面図、図１０の（ｅ）は上面図、図１０の（ｆ）は背面図である。図１１は図４に示す配光制御取付部の傾斜図である。図１２は図１１に示す配光制御取付部の三面図である。図１３は、図６の取付金具と図７の第一の制御部と図９の第二の制御部を組み合わせたときの六面図であり、図１３の（ａ）は正面図、図１３の（ｂ）は左側面図、図１３の（ｃ）は右側面図、図１３の（ｄ）は底面図、図１３の（ｅ）は上面図、図１３の（ｆ）は背面図である。
【００１５】
照明器具１は、路面などに光を照射する器具本体部１００と、この器具本体部１００を被取付部１０００に固定する取付金具２００と、器具本体部１００の上面に設置され器具本体部１００から照射される光の配光を制御する配光制御部３００（制御部材、配光制御部材ともいう。）と、取付金具２００とともに器具本体部１００に連結され配光制御部３００を器具本体部１００に固定する制御取付部４００から構成されている。
【００１６】
器具本体部１００は、器具本体部１００の外郭であり一面が開口する略長方形箱形状をした本体ケース１１０と、本体ケース１１０内部に開口から照射するように取り付けられた光源モジュールユニット１２０と、光源モジュールユニット１２０を点灯させる点灯装置ユニット１３０と、本体ケース１００の開口を塞ぐように取り付けられる照射カバー１４０と、防水性を保ち器具本体部１００内側から電線を引き出すための口出し線パッキン１５０と、を備えている。
【００１７】
本体ケース１１０は、略直方体形状をしており、下側に一面が開口した本体ケース開口部１１１が形成されている。
また、本体ケース開口部１１１に対向する面に本体ケース上部１１２が形成されており、本体ケース上部１１２の周囲から本体ケース開口部１１１方向へ略垂直に形成された本体ケース壁部１１３と、本体ケース１１０の内部に照射カバー１４０が差し込まれるカバー差込部１１４が形成されている。
【００１８】
本体ケース上部１１２は、ケース平面部１１２の取付金具２００が取り付けられる側にケース平面部１１２ｃより上側へ突出したケース凸部１１２ａと、ケース凸部１１２ａの反対側にケース平面部１１２ｃより下側へ突出したケース凹部１１２ｂが形成されている。
【００１９】
本体ケース壁部１１３は、取付金具２００側に器具本体部内部からの電線を引き出す為の電源孔（図示なし）が形成された取付側壁部１１３ａと、取付側壁部１１３ａと対向するように形成された先端側壁部１１３ｂと、取付側壁部１１３ａの両端より先端側壁部１１３ｂ方向へ形成され取付金具２００に当接する固定壁部１１３ｃと、を備えている。
また、固定壁部１１３ｃは、固定金具を取り付けする為の固定金具取付孔１１３ｄが垂直方向に複数配設されている。
【００２０】
カバー差込部１１４は、本体ケース壁部１１３の全周に対して平行に本体ケース１１０内側に形成されたものであり、本体ケース壁部１１３とカバー差込部１１４の間に差込溝部１１５が形成されている。
【００２１】
光源モジュールユニット１２０は、複数のＬＥＤ１２１と複数のＬＥＤ１２１を搭載したＬＥＤ基板部１２２とＬＥＤ基板部１２２の前面に設置され、器具内部にてＬＥＤから照射される光を制御する光学制御部１２３から形成されている。
なお、光学制御部１２３は本形態ではレンズ形状のものを図示しているが反射板などでもよい、また光源モジュールユニット１２０は絶縁部材、放熱部材を備えているものでも良い。
【００２２】
光源モジュールユニット１２０は、光学制御部１２３が設置されている面と反対面がケース凹部１１２ｂの本体ケース部１１２内部側の面に、当接し取り付けられている。
【００２３】
点灯装置ユニット１３０は、商用電源からの電力を光源モジュールユニット１２０に供給し、光源モジュールユニット１２０を点灯させるものである。
また、点灯装置ユニット１３０は、ケース凸部１１２ａの本体ケース部１１２内部側の面に取り付けられている。
【００２４】
照射カバー１４０は、略直方体形状をしており、上側に一面が開口したカバー開口部１４１が形成されている。
また、カバー開口部１４１と対向する面に形成された略直方体形状の透光面１４２と、透光面１４２の周囲からカバー開口部１４１方向へ形成されたカバー側面１４３と、カバー側面１４３の端部全周にわたって、断面「コ」の字形状に形成される嵌入部１４４とを備えている。
【００２５】
透光部１４２には、照射カバー１４０を本体ケース１１０にビスにより固定する為に透光部１４２からカバー開口部１４１へ凹形状に形成されたカバー凹部１４５が複数形成されている。
また、カバー凹部１４５には、ビスにより照射カバー１４０を固定する為のカバー固定孔１４５ａが形成されている。
【００２６】
嵌入部１４４は断面「コ」の字形状の開口がカバー開口部１４１方向へ向くように配設されている。
【００２７】
照射カバー１４０は、本体ケース１１０の本体ケース開口部１１１に、カバー開口部１４１方向より照射カバー１４０の嵌入部１４５が本体ケース１１０のカバー差込部１１４を挟み込むように、嵌入される。
嵌入後、照射カバー１４０を固定するネジを、カバー固定孔１４５ａを介して本体ケース１１０に取り付けを行ない、照射カバー１４０は本体ケース１１０に固定される。
【００２８】
取付金具２００は、断面が略「コ」の字形状をしており、電柱等の被取付部１０００に当接する当接部２１０と、当接部２１０の両端から折り曲げられ形成された器具本体部１００に当接する側面部２２０から構成されている。
【００２９】
側面部２２０は、段階状に折り曲げられており先端に器具本体部１００の固定壁部１１３ｃを把持するように折り曲げられた把持部２２１が形成されている。
また、把持部２２１には固定壁部１１３ｃに形成された取付金具固定孔１１３ｄと対応するように本体連結孔２２２が配設されている。
【００３０】
取付金具２００は、把持部２２１が器具本体部１００の固定壁部１１３ｃを把持した状態で、固定ネジが本体連結孔２２２を介して、取付金具固定孔１１３ｄに螺合し、器具本体部に固定される。
【００３１】
配光制御部３００は、器具本体部１００から照射される光が、特定角度を超えて照射されないように遮光により配光の制御をおこなう制御部材である。
配光制御部３００は、器具本体部１００に係り合い固定される第一の制御部３１０と、第一の制御部３１０と器具本体部１００の間に挟持（挟まれ保持された状態）される第二の制御部３２０をそなえている。
【００３２】
第一の制御部３１０は、器具本体部１００の本体ケース上部１１２を覆う上面部３１１と、上面部３１１の側辺の一部であり対向する側辺より垂直に形成された第一の垂直部３１２と、第一の垂直部３１２が形成された側辺と異なる側辺より第一の垂直部３１２と同方向へ形成され器具本体部１００と係合いする為の爪部３１３と、から構成されている。
【００３３】
上面部３１１は、爪部３１３が形成されている側辺と対向する側辺には略四角形状の切欠部３１４が形成されており、切欠部３１４の両側には、第一の制御部３１０を固定する為の制御部固定孔３１５が形成されている。
【００３４】
第一の垂直部３１２は、爪部３１３および、切欠部３１４の両側に形成されており、略四角形状に形成されている。
【００３５】
爪部３１３は、上面部３１１の側辺より垂直に突出した爪部垂直部３１３ａと、爪部垂直部３１３ａの端部から爪部垂直部３１３ａに対して鈍角に内部方向へ形成された爪部引掛部３１３ｂとから構成されている。
【００３６】
第二の制御部３２０は、器具本体部１００と第一の制御部３１０に挟まれ保持される当接部３２１と、当接部３２１の側辺から垂直に形成された第二の垂直部３２２と、第二の垂直部３２２と対向するように形成された引掛部３２３とから構成されている。
【００３７】
当接部３２１は略台形形状をしており、第二の垂直部３２２が形成されているＡ側辺３２１ａは、引掛部３２３が形成されているＢ側辺３２１ｂが略平行に形成されており、Ａ側辺３２１ａはＢ側辺３２１ｂより大きく形成されている。また、Ａ側辺３２１ａとＢ側辺３２１ｂと略垂直なＣ側辺３２１ｃを備えている。
【００３８】
第二の垂直部３２２は、Ａ側辺３２１ａより略垂直方向へ略四角形状に形成されている。また、第一の垂直部３１２より大きく形成されている。
【００３９】
引掛部３２３は、Ｂ側辺３２１ｂより第二の垂直部３２２と同方向へ略四角形状に形成されている。また、第一の垂直部３１２より小さく形成されている。
【００４０】
第二の制御部３２０は、器具本体部１００に本体ケース上部１１２側より被さる大きさに形成されている。
また、第一の制御部３１０は第二の制御部３２０に当接部３２１側より被さる大きさに形成されている。
【００４１】
配光制御部３００は、第一の制御部３１０と第二の制御部により構成されているが、第一の制御部３１０のみを用いて配光制御を行うこともできる。
【００４２】
制御取付部４００は、配光制御部３００を固定するものであり、取付金具２００を固定する取付金具固定孔１１３ｄに、取付金具２００と共に固定されている。
【００４３】
制御取付部４００は、略ハット形状に形成された本体部４１０と、本体部４１０の縁部より垂直方向へ形成された補強部４２０から構成されている。
【００４４】
本体部４１０は略ハット形状に形成されており、水平に形成された本体水平部４１１と、本体水平部の両端部より垂直に形成された本体垂直部４１２と、本体垂直部４１２の端部より本体水平部４１１と反対方向へ形成された制御受部４１３を備えている。
【００４５】
本体垂直部４１２には、「Ｕ」形状の切り欠きかかれた形状であり、取付金具固定孔１１３ｄに制御取付部４００を固定する固定スリット部４１４が形成されている。また、固定スリット部４１４は「Ｕ」形状をしており、固定スリット部４１４の開口Ａが補強部４２０方向へ開口するように配設されている。
【００４６】
制御受部４１３は、第一の制御部３１０を固定するものであり、第一の制御部３１０が器具本体部１００に係止した状態で、第一の制御部３１０の制御固定孔３１５に対応する制御取付孔４１３ａが形成されている。
【００４７】
補強部４２０は、本体垂直部４１２の縁部より略「く」の字形状に設けられており、固定スリット部４１４のＡ開口の両側より外方向へ対になるように形成された第一の補強部４２０ａと、第一の補強部４２０ａの端部より略垂直方向へ形成され対になる第一の補強部４２０ａを連結する第二の補強部４２０ｂとから構成されている。
また、対になる第一の補強部４２０ａと第二の補強部４２０ｂに囲まれ補強開口部４２０ｃが形成されている。
【００４８】
補強部４２０は、本体垂直部４１２は固定スリット部４１４が形成されていることにより減少した材料応力を補足するものである。
また、補強開口部４１４ｃの開口Ｂは、固定ビスのビス頭部寸法Ｃより大きく形成されており、固定スリット部４１４を固定ビスへ差し込みすることができる。
なお、開口Ａはビス頭部寸法Ｃより小さく、固定ビスのタップ径Ｄより大きくなるように形成されている。
【００４９】
次に、各部の取付方法に関して説明をおこなう。
図１４は図４に示す器具本体部１００へ取付金具２００を取り付けする取付方法を示した取付固定図であり、図１４の（ａ）の器具本体部１００は取付金具２００が取り付けられる前の状態であり、図１４の（ｂ）の器具本体部１００は取付金具２００が取り付けられた状態である。図１５は図１４の器具本体部１００へ制御取付部４００を取り付けする取付方法を示した取付固定図であり、図１５の（ａ）の器具本体部１００は制御取付部４００が取り付けられる前の状態であり、図１５の（ｂ）の器具本体部１００は制御取付部４００が取り付けられた状態である。図１６は図１５の器具本体部１００へ第二の制御部３２０を取り付けする取付方法を示した取付固定図であり、図１６の（ａ）の器具本体部１００は第二の制御部３２０が取り付けられる前の状態であり、図１６の（ｂ）の器具本体部１００は第二の制御部３２０が取り付けられた状態である。図１７は図１６の器具本体部１００へ第一の制御部３１０を取り付けする取付方法を示した取付固定図であり、図１７の（ａ）の器具本体部１００は第一の制御部３１０が取り付けられる前の状態であり、図１７の（ｂ）の器具本体部１００は第一の制御部３１０が取り付けられた状態である。
【００５０】
はじめに、取付金具２００を器具本体部１００に取り付けする取付方法に関して説明を行なう。
取付金具２００は、取付金具２００の把持部２２１が器具本体部１００の固定壁部１１３ｃを把持するように当接させる。このとき、器具本体部１００の取付金具固定孔１１３ｄと取付金具２００の本体連結孔２２２は同通（それぞれの孔の中心が略同軸上に位置した状態）される。
【００５１】
取付金具固定孔１１３ｄと本体連結孔２２２が同通された後に、固定ネジを本体連結孔２２２側から取付金具固定孔に締め付けをおこない、取付金具２００を器具本体部１００に固定する。
なお、取付金具固定孔への固定ネジの締め付け方法は、取付金具固定孔にタップ加工を施しても良く、ナットを用いた締め付け方法でも良い。
【００５２】
次に、配光制御固定部３００を器具本体部１００に取り付けする取付方法に関して説明を行なう。
はじめに、器具本体部１００に取付金具２００を締め付けにより固定ネジのうち、上部側に締め付けを行なっている固定ネジの締め付け緩める。
固定ネジを緩めることにより、固定ネジと取付金具２００の間には隙間が形成される。
【００５３】
配光制御固定部３００を被取付部１０００方向から器具本体部１００に、固定スリット部４１４を隙間に嵌入され、固定スリット部４１４と固定ネジが当接するまで差し込みを行なう。
配光制御固定部３００を差し込みされた後、固定ネジの締め付けを行ない、配光制御固定部３００は器具本体部１００に固定される。
【００５４】
次に、配光制御部３００を器具本体部１００に取り付けをする取付方法に関して説明を
行なう。
はじめに第二の制御部３２０を器具本体部１００の本体ケース上面１１２より、第二の垂直部３２２及ぶ引掛部３２３が本体ケース壁部１１３を被さるように設置される。
このとき、第二の制御部３２０のＣ側面３２１ｃを器具本体部１００のケース凸部１１２ａに当接させる。
【００５５】
第二の制御部３２０が設置された後に、第一の制御部３１０を器具本体部１００に取り付けをする。
第一の制御部３１０は、第一の制御部３１０を傾斜した状態で爪部３１３を器具本体部１００の先端側壁部１１３ｂ側に当接させる。
第一の制御部３１０は、爪部３１３と先端側壁部１１３ｂが当接した箇所を回転の軸として、第一の制御部３１０の上面部３１１が当接するように、第一の制御部３１０を回転させる。
このとき、第一の制御部３１０の制御固定孔３１５と、制御取付部４００の制御取付孔４１３ａは同通する。
【００５６】
制御固定孔３１５と制御取付孔４１３ａが同通した後に、固定ネジを制御固定孔３１５側から制御取付孔４１３ａに締め付けをおこない、第一の制御部３１０を器具本体部１００に固定する。
このとき、第二の制御部３２０は、器具本体部１００と第一の制御部３１０の間に挟持され、固定される。
なお、制御取付孔４１３ａへの固定ネジの締め付け方法は、制御取付孔４１３ａにタップ加工を施しても良く、ナットを用いた締め付け方法でも良い。
【００５７】
また、配光制御部３００の取付方法に関して、第一の制御部３１０と第二の制御部３２０の取付方法を説明をおこなったが、配光制御の用途に応じて第一の制御部３１０のみを取り付けでも良い。
【００５８】
次に、配光制御部３００による遮光効果に関して説明を行なう。
図１８は、第一の制御部３１０と第二の制御部３２０による遮光効果を示した（モデル）図である。図１８は、第二の制御部３２０の変形例を示した傾斜図である。
【００５９】
配光制御部３００は、第一の制御部３１０と第二の制御部３２０から構成されており、器具本体部１００の本体ケース上面１１２より、第一の垂直部３１２及び第二の垂直部３２２が本体ケース壁部１１３を覆うように取り付けられている。
【００６０】
第一の制御部３１０は、第一の垂直部３１２が第一の垂直部３１２に対して垂直方向に一番遠方のＬＥＤ１２１から照射される光の照射角度α°以下の照射光を遮断する。
また、第一の垂直部３１２は対になるように対向する面に形成されている為、第一の制御部３１２は略均等に遮光による配光制御を行なうことができる。
【００６１】
第二の制御部３２０は、第二の垂直部３２２が第二の垂直部３２２に対して垂直方向にて一番離れたＬＥＤ１２１から照射される光の照射角度β°以下の照射光を遮断するように形成されている。
第二の垂直部３２２は、第一の制御部３１０により配光制御された光の遮光を行ない、照射される光を更に任意方向へ限定することができる。
【００６２】
なお、第一の垂直部３１２はα°以下の照射光を遮断し、第二の制御部３２２はβ°以下の照射光を遮断するように形成されているが、必要な配光制御に応じて第一の垂直部３１２及び第二の制御部３２２の形成される高さを変更することにより、遮光する照射角度を変更することができる。
【００６３】
本実施の形態では、配光制御部３００が、第一の制御部３１０と第二の制御部３２０から構成されることで、略均等な遮光による配光制御と、特定方向への遮光による配光制御との切換をすることができる。
【００６４】
また、本実施の形態では、第一の制御部３１０が器具本体部１００と係合いし固定され、第二の制御部３２０が第一の制御部と器具本体部１００に挟持され固定されることで、配光制御部３００は器具本体部１００に対して容易に着脱することができる。
【００６５】
また、本実施の形態では、配光制御部３００が器具本体部１００に取付金具２００を固定する固定ネジに共締めされることによって、器具本体部１００に追加の加工をせずに配光制御部３００を固定することができる。
【００６６】
なお、本実施の形態では、引掛部３２３が第一の垂直部３１２、第二の垂直部３２２より小さくなる形状に関して説明を行なっているが、図１９に示すように引掛部323が第一の垂直部３１２、第二の垂直部３２２と略同等、もしくは大きく形成され遮光の機能を有していても良い。
【００６７】
なお、本実施の形態では、第二の制御部３２０の第二の垂直部３２２を略四角形状にて説明を行なったが、必要な配光制御に応じて図１９に示すように略四角形状でなくても良く、曲げ加工、開口を有した形状でも良い。また、第二の制御部３２０は両側に形成されていても良い。また、遮光ではなく反射、拡散による配光制御でもよい。
【００６８】
なお、本実施の形態では、制御取付部４００により配光制御部３００の固定する形状について説明を行なったが、配光制御部３００は器具本体部１００、または取付金具２００にあらかじめ形成された孔に固定されるようなものでも良く、嵌合機構などによる固定でも良い。
【符号の説明】
【００６９】
１  照明器具、１００  器具本体部、１１０  本体ケース、１１１  本体ケース開口部、１１２  本体ケース上部、１１２ａ  ケース凸部、１１２ｂ  ケース凹部、１１２ｃ  ケース平面部、１１３  本体ケース壁部、１１３ａ  取付側壁部、１１３ｂ  先端側壁部、１１３ｃ  固定壁部、１１３ｄ  取付金具固定孔、１１４  カバー差込部、１１５  差込溝部、１２０  光源モジュールユニット、１２１  ＬＥＤ、１２２  ＬＥＤ基板部、１２３  光学制御部、１３０  点灯装置ユニット、１４０  照射カバー、１４１  カバー開口部、１４２  透光面、１４３  カバー側面、１４４  カバー嵌入部、１４５  カバー凹部、１４５ａ  カバー固定孔、１５０  口出し線パッキン、２００  取付金具、２１０  当接部、２２０  側面部、２２１  把持部、２２２  本体連結孔、３００  配光制御部、３１０  第一の制御部、３１１  上面部、３１２  第一の垂直部、３１３  爪部、３１３ａ  爪部垂直部、３１３ｂ  爪部引掛部、３１４  切欠部、３１５  制御部固定孔、３２０  第二の制御部、３２１  当接部、３２１ａ  Ａ側辺、３２１ｂ  Ｂ側辺、３２１ｃ  Ｃ側辺、３２２  第二の垂直部、３２３  引掛部、４００  制御取付部、４１０  本体部、４１１  本体水平部、４１２  本体垂直部、４１３  制御受部、４１３ａ  制御取付孔、４１４  固定スリット部、４２０  補強部、４２０ａ  第一の補強部、４２０ｂ  第二の補強部、４２０ｃ  補強開口部、１０００  被取付部。
【図１】
2015153712.tif 000003
【図２】
2015153712.tif 000004
【図３】
2015153712.tif 000005
【図４】
2015153712.tif 000006
【図５】
2015153712.tif 000007
【図６】
2015153712.tif 000008
【図７】
2015153712.tif 000009
【図８】
2015153712.tif 000010
【図９】
2015153712.tif 000011
【図１０】
2015153712.tif 000012
【図１１】
2015153712.tif 000013
【図１２】
2015153712.tif 000014
【図１３】
2015153712.tif 000015
【図１４】
2015153712.tif 000016
【図１５】
2015153712.tif 000017
【図１６】
2015153712.tif 000018
【図１７】
2015153712.tif 000019
【図１８】
2015153712.tif 000020
【図１９】
2015153712.tif 000021